(57)【要約】【課題】割込み接続される他の回線からの着信報知および呼出方法を、電話機が通話状態であるか通話保留状態であるかに応じて変更可能にする。【解決手段】電話制御システム１を構成する親電話機３には、状態設定手段２１，状態判別手段２２，着信検出手段２３および報知手段２４と、これら各手段の動作を制御する親機制御手段１１とが含まれる。親機制御手段１１は、着信検出手段２３が他の回線からの新たな着信信号を検出した状態で、状態判別手段２２によって１つの回線が通話保留状態であると判別されたとき、少なくとも音情報によって着信を報知するように報知手段２４を制御し、状態判別手段２２によって１つの回線が通話状態であると判別されたとき、少なくとも可視情報によって着信を報知するように報知手段２４を制御する。【選択図】　　　図２
2004096485.tif 000002
【特許請求の範囲】
【請求項１】
複数回線に接続され、複数回線のうちから回線を選択して通話することのできる複数の電話機によって構成される電話制御システムにおいて、
前記電話機は、
通話状態，通話保留状態および待機状態のうち、いずれかの状態に設定し、また設定されたいずれかの状態を解除することのできる状態設定手段と、
通話状態，通話保留状態および待機状態のうちいずれの状態にあるかを判別する状態判別手段と、
前記複数回線からの着信信号を検出する着信検出手段と、
前記着信検出手段からの検出出力に応答し、音情報および／または可視情報によって着信を報知する報知手段と、
前記状態設定手段，状態判別手段，着信検出手段および報知手段の動作を制御する制御手段とを含み、
前記着信検出手段が他の回線からの新たな着信信号を検出した状態で、
前記制御手段は、
前記状態判別手段によって１つの回線が通話保留状態であると判別されたとき、少なくとも音情報によって着信を報知するように前記報知手段を制御し、
前記状態判別手段によって１つの回線が通話状態であると判別されたとき、少なくとも可視情報によって着信を報知するように前記報知手段を制御することを特徴とする電話制御システム。
【請求項２】
前記電話機は、
音情報を入出力することのできる音情報入出力部と、
音情報を生成し出力することのできる送受話器とをさらに含み、
前記着信検出手段が他の回線からの新たな着信信号を検出した状態で、
前記制御手段は、
前記状態判別手段によって１つの回線が通話保留状態であると判別されたとき、前記音情報入出力部から音情報を出力して着信を報知するように前記報知手段を制御し、
前記状態判別手段によって１つの回線が通話状態であると判別されたとき、前記送受話器から音情報を出力して着信を報知するように前記報知手段を制御することを特徴とする請求項１記載の電話制御システム。
【請求項３】
前記複数の電話機は、親電話機と子電話機とからなり、
親電話機は、子電話機を呼出しまたは呼出しを解除することのできる子電話機呼出手段を備え、
前記子電話機呼出手段によって親電話機から子電話機を呼出す信号が発信されている状態で、
子電話機に備わる制御手段は、
子電話機が通話状態であるとき、予め定められる時間通話保留状態に設定されるように状態設定手段を制御し、音情報入出力部で呼出音を生成し出力して呼出しを報知するように報知手段を制御することを特徴とする請求項２記載の電話制御システム。
【請求項４】
前記子電話機は、他の子電話機を呼出しまたは呼出しを解除することのできる子電話機呼出手段を備え、
前記子電話機呼出手段によって１つの子電話機から他の子電話機を呼出す信号が発信されている状態で、
他の子電話機に備わる制御手段は、
他の子電話機が通話状態であるとき、可視情報によって呼出しを報知するように報知手段を制御し、
他の子電話機が通話保留状態であるとき、可視情報および呼出音によって呼出しを報知するように報知手段を制御することを特徴とする請求項３記載の電話制御システム。
【請求項５】
前記子電話機呼出手段によって子電話機の呼出しを解除する信号が発信されている状態で、
呼出し解除の対象である子電話機に備わる制御手段は、
通話保留状態であるとき、呼出音の出力を停止するように報知手段を制御し、通話保留状態の設定を解除して通話状態に設定するように状態設定手段を制御することを特徴とする請求項３または４記載の電話制御システム。
【請求項６】
前記音情報は、
通話保留状態を示す保留音と、着信を報知する着信音と、子電話機を呼出す呼出音とを含み、
前記保留音，前記着信音および前記呼出音の各音が、それぞれ異なる音質，音レベルおよび音信号から成ることを特徴とする請求項３〜５のいずれかに記載の電話制御システム。
【請求項７】
前記親電話機は、前記複数回線に接続され、
前記子電話機は、前記親電話機と無線で通信するコードレス電話機であることを特徴とする請求項３〜６のいずれかに記載の電話制御システム。
【請求項８】
前記複数回線は、
アナログ通信回線とデジタル通信回線とを含むことを特徴とする請求項１〜７のいずれかに記載の電話制御システム。
【発明の詳細な説明】
【０００１】
【発明の属する技術分野】
本発明は、電話制御システムに関する。
【０００２】
【従来の技術】
情報通信網の発達した現在では、対人間の意思疎通は、書簡よりも電話機を用いた通話によって行われることが多い。したがって、電話機に接続されて通話中の回線に重畳して着信されるという事態が往々にして発生し、その場合、重畳して電話をかけた利用者の受話器に対して通話中の信号が発信されるので、その利用者がある程度時間をおいて電話をかけなおすのが常態であった。このような不便を解消する一つの手法として、割込み接続サービスが案出されている。しかしながら、割込み接続サービスの実際面の運用に関しては改善されるべきいくつかの問題がある。
【０００３】
たとえば、割込み接続サービスは、通話中の電話回線に、通話している相手先以外の相手先から着信があった場合、着信音を通話中の電話回線へ送出して、利用者に割込み着信のあることを通知するものである。しかしながら、単一の回線においてこの割込み接続サービスを用いると、利用者は、一旦通話中の回線を切断した後、利用者側から割込み接続した相手先に電話をかけなければならないという問題がある。
【０００４】
この問題を改善する従来技術が、たとえば特開平４−１７２７４３号公報に開示される。特開平４−１７２７４３号公報では、複数の回線を利用し、電話機に接続されて通話中の回線を切断することなく他の回線に接続することができ、複数の回線に対して割り込み接続を可能にする話中割り込み接続方式が提案されている。
【０００５】
このような複数の回線を利用する割込み接続サービスには、利用者のフッキング操作により相手先の切替選択や外線転送機能を用いて通話の切換えをすることができるように構成されるいわゆるボタン電話機が好適に用いられる。しかしながら、ボタン電話機は、割込み接続に応答して自動で切換えを実行するように構成されていないので、利用者自身が割込み接続の相手先に回線を切換えるための正確な動作を記憶しておき、実行しなければならないという問題がある。
【０００６】
この問題を改善する従来技術が、たとえば特開２００１−２９２４６３号公報に開示される。特開２００１−２９２４６３号公報では、利用者が運用の負担をあまり感じることなく割込み着信サービスをスムースに利用できるボタン電話装置が提案されている。このボタン電話装置は、以下のように動作する。子（電話）機Ａが保留した電話回線への割込み着信が検出された場合、子機Ａともう一つの子（電話）機Ｂへ呼出しが行われる。子機Ｂが呼出しに応答した場合、子機Ｂと割込み着信側との通話が形成される。この通話が終了された場合、電話回線にフッキング信号が送出されるとともに、電話回線が保留され子機Ａに対して保留警報が出力されて割込み通話の終了が通知される。
【０００７】
また１台の親（電話）機に対して複数の子機を使用できるように構成される親子電話機で割込み接続サービスを行うとき、子機（または親機）が外線と通話している場合には、プライバシーの保護などのため、その通話中の子機（または親機）に対して、親機または他の子機から割込み通話やページングといわれる呼出音を鳴らすことができないという問題がある。
【０００８】
この問題を改善する従来技術が、たとえば特開平５−３４４０５４号公報に開示される。特開平５−３４４０５４号公報では、呼出し信号であるページング信号を、音声信号の帯域外の周波数を用いて音声信号とともに送信することができ、また外線との通話中にたとえば親機からページング信号が送信されてきた場合、外線を保留し親機と子機との通話のための接続を切換えて割込み通話をすることのできるコードレス電話が提案されている。
【０００９】
【発明が解決しようとする課題】
割込み接続サービスの実際面の運用に関する問題を改善するべく提案されている前述の従来技術にも、以下のさらなる問題がある。特開平４−１７２７４３号公報に開示される話中割込み接続方式および特開２００１−２９２４６３号公報に開示されるボタン電話機では、電話機に接続されて通話中の回線を切断することなく他の回線に対して接続、すなわち複数の回線に対して割込み接続することができるけれども、回線を占有し通話保留中の電話機に、他の回線から新たに着信があるとき、通話保留中の電話機から離れている利用者は、新たな着信を知ることができないという問題がある。
【００１０】
特開平５−３４４０５４号公報に開示される親子電話機では、たとえば子機がオフ・フック（通話）状態であるとき、ページングを行うと、子機に備えられるスピーカやベルから呼出音が発生されるので、通話中の相手先に呼出音が聞こえてしまうという問題がある。
【００１１】
本発明の目的は、割込み接続される他の回線からの着信報知および呼出方法を、電話機が通話状態であるか通話保留状態であるかに応じて変更することができ、また親子電話機に対しても複数回線への割込み接続とページングとを適用することのできる電話制御システムを提供することである。
【００１２】
【課題を解決するための手段】
本発明は、複数回線に接続され、複数回線のうちから回線を選択して通話することのできる複数の電話機によって構成される電話制御システムにおいて、
前記電話機は、
通話状態，通話保留状態および待機状態のうち、いずれかの状態に設定し、また設定されたいずれかの状態を解除することのできる状態設定手段と、
通話状態，通話保留状態および待機状態のうちいずれの状態にあるかを判別する状態判別手段と、
前記複数回線からの着信信号を検出する着信検出手段と、
前記着信検出手段からの検出出力に応答し、音情報および／または可視情報によって着信を報知する報知手段と、
前記状態設定手段，状態判別手段，着信検出手段および報知手段の動作を制御する制御手段とを含み、
前記着信検出手段が他の回線からの新たな着信信号を検出した状態で、
前記制御手段は、
前記状態判別手段によって１つの回線が通話保留状態であると判別されたとき、少なくとも音情報によって着信を報知するように前記報知手段を制御し、
前記状態判別手段によって１つの回線が通話状態であると判別されたとき、少なくとも可視情報によって着信を報知するように前記報知手段を制御することを特徴とする電話制御システムである。
【００１３】
本発明に従えば、電話機に備わる着信検出手段が他の回線からの新たな着信を検出した状態で、同じく電話機に備わる制御手段は、１つの回線が通話保留状態であるときには、少なくとも音情報で新たな着信を報知し、１つの回線が通話状態であるときには、少なくとも可視情報で新たな着信を報知するように報知手段を制御する。このことによって、１つの回線が通話保留状態に設定され、利用者が電話機から離れている場合であっても、利用者は音情報によって新たな着信を知ることができる。また１つの回線が通話状態に設定され、利用者が電話機近傍に居る場合には、静寂さを保つことのできる可視情報によって新たな着信を知ることができる。
【００１４】
また本発明は、前記電話機は、
音情報を入出力することのできる音情報入出力部と、
音情報を生成し出力することのできる送受話器とをさらに含み、
前記着信検出手段が他の回線からの新たな着信信号を検出した状態で、
前記制御手段は、
前記状態判別手段によって１つの回線が通話保留状態であると判別されたとき、前記音情報入出力部から音情報を出力して着信を報知するように前記報知手段を制御し、
前記状態判別手段によって１つの回線が通話状態であると判別されたとき、前記送受話器から音情報を出力して着信を報知するように前記報知手段を制御することを特徴とする。
【００１５】
本発明に従えば、電話機に備わる着信検出手段が他の回線からの新たな着信を検出した状態で、同じく電話機に備わる制御手段は、１つの回線が通話保留状態であるときには、音情報入出力部から音情報を出力して新たな着信を報知し、１つの回線が通話状態であるときには、送受話器から音情報を出力して新たな着信を報知するように報知手段を制御する。このことによって、１つの回線が通話保留状態に設定され、利用者が電話機から離れている場合であっても、利用者は音情報によって新たな着信を知ることができる。また１つの回線が通話状態に設定され、利用者が通話している場合には、送受話器から出力される音情報によって新たな着信を知ることができるので、通話中の相手先に音情報であるたとえば着信音を聞かせないようにすることができる。
【００１６】
また本発明は、前記複数の電話機は、親電話機と子電話機とからなり、
親電話機は、子電話機を呼出しまたは呼出しを解除することのできる子電話機呼出手段を備え、
前記子電話機呼出手段によって親電話機から子電話機を呼出す信号が発信されている状態で、
子電話機に備わる制御手段は、
子電話機が通話状態であるとき、予め定められる時間通話保留状態に設定されるように状態設定手段を制御し、音情報入出力部で呼出音を生成し出力して呼出しを報知するように報知手段を制御することを特徴とする。
【００１７】
本発明に従えば、複数の電話機は親子電話機であり、親電話機が、子電話機呼出手段によって子電話機を呼出す信号を発信している状態で、子電話機に備わる制御手段は、子電話機が通話状態であるとき、予め定められる時間通話保留状態に設定し、音情報入出力部で呼出音を生成し出力して呼出しを報知する。このように、親電話機から呼出されている状態で、子電話機が通話状態であるときには、たとえば呼出音を出力している時間、通話状態から通話保留状態に設定を変更することによって、通話中の相手先に呼出音を聞かせないようにすることができる。
【００１８】
また本発明は、前記子電話機は、他の子電話機を呼出しまたは呼出しを解除することのできる子電話機呼出手段を備え、
前記子電話機呼出手段によって１つの子電話機から他の子電話機を呼出す信号が発信されている状態で、
他の子電話機に備わる制御手段は、
他の子電話機が通話状態であるとき、可視情報によって呼出しを報知するように報知手段を制御し、
他の子電話機が通話保留状態であるとき、可視情報および呼出音によって呼出しを報知するように報知手段を制御することを特徴とする。
【００１９】
本発明に従えば、子電話機は、他の子電話機を呼出しまたは呼出しを解除することのできる子電話機呼出手段を備え、その子電話機呼出手段によって他の子電話機を呼出す信号が発信されている状態で、他の子電話機に備わる制御手段は、他の子電話機が通話状態であるとき、可視情報によって呼出しを報知し、他の子電話機が通話保留状態であるとき、可視情報および呼出音によって呼出しを報知する。このように、１つの子電話機から呼出されている他の子電話機が通話状態であるときには、可視情報で呼出しを報知するので、通話の相手先に呼出音を聞かせないようにすることができる。また通話保留状態であるときには、可視情報と呼出音とによって呼出しを報知するので、利用者が他の子電話機から離れている場合であっても、呼出しを知ることができる。
【００２０】
また本発明は、前記子電話機呼出手段によって子電話機の呼出しを解除する信号が発信されている状態で、
呼出し解除の対象である子電話機に備わる制御手段は、
通話保留状態であるとき、呼出音の出力を停止するように報知手段を制御し、通話保留状態の設定を解除して通話状態に設定するように状態設定手段を制御することを特徴とする。
【００２１】
本発明に従えば、子電話機呼出手段によって子電話機の呼出しを解除する信号が発信されている状態で、呼出し解除の対象である子電話機に備わる制御手段は、通話保留状態であるとき、呼出音の出力を停止し、通話保留状態の設定を解除して通話状態に設定する。このように、呼出しによって通話状態から一時通話保留状態に設定変更された子電話機は、呼出し解除によって再び通話状態に復帰することができる。
【００２２】
また本発明は、前記音情報は、通話保留状態を示す保留音と、着信を報知する着信音と、子電話機を呼出す呼出音とを含み、
前記保留音，前記着信音および前記呼出音の各音が、それぞれ異なる音質，音レベルおよび音信号から成ることを特徴とする。
【００２３】
本発明に従えば、音情報である保留音，着信音および呼出音の各音が、それぞれ異なる音質，音レベルおよび音信号から構成される。このことによって、利用者は、保留音，着信音および呼出音を誤ることなく容易に識別することが可能になる。
【００２４】
また本発明は、前記親電話機は、前記複数回線に接続され、前記子電話機は、前記親電話機と無線で通信するコードレス電話機であることを特徴とする。
【００２５】
また本発明は、前記複数回線は、アナログ通信回線とデジタル通信回線とを含むことを特徴とする。
【００２６】
本発明に従えば、親電話機は、アナログ通信回線とデジタル通信回線とを含む複数回線に接続され、子電話機は、親電話機と無線で通信するコードレス電話機である。このことによって、アナログ通信とデジタル通信との両方に対応可能であり、また親子電話機のいずれに対しても割込み接続可能な使い勝手の良い電話制御システムが実現される。
【００２７】
【発明の実施の形態】
図１は、本発明の実施の一形態である電話制御システム１の構成を示す模式図である。電話制御システム１は、３本の回線２ａ，２ｂ，２ｃに接続される親電話機３（以後、親機と略称する）と、親機３と予め割当てられた周波数の無線チャネルによって通信するｎ個の子電話機４ａ，４ｂ，…，４ｎ（以後、子機と略称する）とを含む。このように本実施の形態では、親機３に対する子機４ａ，４ｂ，…，４ｎは、コードレス電話機を構成する。
【００２８】
親機３は、ルータ装置または中継機で構成される宅内交換機５に接続され、さらに宅内交換機５に接続される網６を介して通話相手先の電話機７ａ，７ｂ，７ｃに接続される。親機３が接続される３本の回線は、たとえばＰｕｂｌｉｃ　ＳｗｉｔｃｈｅｄＴｅｌｅｐｈｏｎｅ　Ｎｅｔｗｏｒｋ（略称ＰＳＴＮ）などのアナログ回線である公衆回線２ａと、Ｉｎｔｅｇｒａｔｅｄ　Ｓｅｒｖｉｃｅｓ　Ｄｉｇｉｔａｌ　Ｎｅｔｗｏｒｋ（略称ＩＳＤＮ），Ｈｏｍｅ　Ｐｈｏｎｅ−ｌｉｎｅ
Ｎｅｔｗｏｒｋｉｎｇ　Ａｌｌｉａｎｃｅ（略称ＨＰＮＡ）規格の伝送路または電力線伝送路などのデジタル通信回線２ｂ，２ｃである。
【００２９】
ｎ個の子機４ａ，４ｂ，…，４ｎは、ｎ個の充電装置８ａ，８ｂ，…，８ｎにそれぞれ配置される。なお、前述の回線，子機，相手先電話機および充電装置を総称する場合には、アルファベットの添字を省略して表すことがある。充電装置８にはコード９が接続され、コード９を介して図示しない交流電源から交流電力が供給される。子機４は、充電装置８に配置された状態で、充電装置８によって充電される。
【００３０】
図２は図１に示す電話制御システム１の構成を簡略化して示すブロック図である。親機３は、親機制御手段１１と、プログラムメモリ１２と、バッファメモリ１３と、有線通信部１４と、無線通信部１５と、操作部１６と、表示部１７と、音情報入出力部１８と、送受話器１９（以後、ハンドセットと呼ぶ）と、前述の各部を接続するバス２０とを含んで構成される。
【００３１】
親機制御手段１１は、たとえば中央処理回路（ＣＰＵ）を搭載するマイクロコンピュータなどで構成され、プログラムメモリ１２にストアされている制御プログラムを実行することにより、バス２０を介して親機３を構成する各部の動作制御を行う。なお、親機制御手段１１は、ＣＰＵに限定されることなく小型演算処理回路（ＭＰＵ）などで構成されてもよい。
【００３２】
また親機制御手段１１には、以下の各手段が備えられる。親機３を通話状態，通話保留状態および待機状態のうち、いずれかの状態に設定し、また設定されたいずれかの状態を解除することのできる状態設定手段２１。親機３が、通話状態，通話保留状態および待機状態のうちいずれの状態にあるかを判別する状態判別手段２２。複数回線２からの着信信号を検出する着信検出手段２３。着信検出手段２３からの検出出力に応答し、音情報および／または可視情報によって着信を報知する報知手段２４。子機４を呼出しまたは呼出しを解除することのできる子電話機呼出手段２５（以後、子機呼出手段と呼ぶ）。親機制御手段１１は、前述の各手段２１〜２５の動作を制御する。
【００３３】
プログラムメモリ１２は、たとえばＲｅａｄ　Ｏｎｌｙ　Ｍｅｍｏｒｙ（ＲＯＭ），ＥｌｅｃｔｒｉｃａｌＥｒａｓａｂｌｅ　＆　Ｐｒｏｇｒａｍａｂｌｅ　ＲＯＭ（ＥＥＰＲＯＭ）などの記憶媒体で構成され、前述のように親機制御手段１１を動作させる制御プログラムをストアしている。バッファメモリ１３は、たとえばＲａｎｄｏｍ　Ａｃｃｅｓｓ　Ｍｅｍｏｒｙ（ＲＡＭ），ＥＥＰＲＯＭなどの記憶媒体で構成され、親機制御手段１１が親機３全体の動作を制御する際の入出力データを一時ストアする。
【００３４】
有線通信部１４は、たとえば複数回線２の相手先を切換える回線制御回路，アナログ通信回線を通じてデータ通信を行うための信号変換装置であるモデムなどで構成される。有線通信部１４は、アナログ回線２ａおよびデジタル回線２ｂ，２ｃに接続され、宅内交換機５の交換制御動作に従って網６を介して相手先電話機７との通話およびデータ通信を可能にしている。
【００３５】
無線通信部１５は、子機４との通話の確立から通話の完了までの処理を受持つコードレス用制御回路，電波送受信のためのチューナなどのＲＦユニット，子機４との間で電波を送受信するアンテナおよび信号の圧縮／復元を行うコンパンダ部などを含んで構成される。この無線通信部１５に用いられる無線通信方式には、省電力コードレス電話方式，微小電力方式またはＰｅｒｓｏｎａｌ　Ｈａｎｄｙｐｈｏｎｅ　Ｓｙｓｔｅｍ（ＰＨＳ）共用タイプなどの公知の周波数・変調方式が用いられる。
【００３６】
操作部１６は、電話番号などを入力するダイヤルキー２６と、ハンドセット１９の操作によって通話開始信号（応答信号とも呼ぶ）および通話終了信号（回線切断信号とも呼ぶ）を発信するフックスイッチ２７と、ページング機能の設定および解除を指示するページキー２８と、親機３に備わる各種の機能を設定し解除する設定・解除キー２９とを含んで構成される。
【００３７】
表示部１７は、たとえば小型サイズの液晶ディスプレイ（略称ＬＣＤ），プラズマディスプレイ（略称ＰＤ），エレクトロ・ルミネセント・ディスプレイ（略称ＥＬＤ）または発光ダイオード（略称ＬＥＤ）などで形成され、回線の状態（未使用，使用中，着信中，通話中，保留など），相手先，電話番号，受信データなどを表示するとともに、ページング機能による呼出状態やアラーム状態を点滅表示することができる。
【００３８】
音情報入出力部１８は、たとえば小型マイクロフォン，アナログ／デジタル変換回路，ベル，小型スピーカおよびデジタル／アナログ変換回路などを含んで構成され、ハンドセット１９によることなく入力される音情報を音声信号に変換して入力するとともに、通話保留状態であることを示す保留音と、着信のあることを報知する着信音と、子機４を呼出す呼出音とを含む音情報を生成して出力する。
【００３９】
ハンドセット１９は、相手先と通話するための音声入出力部である。本実施の形態では、前述の状態判別手段２２によって親機３が通話状態であると判別された状態で、通話中回線以外の他の回線からの新たな着信が着信検出手段２３によって検出されたとき、親機制御手段１１は、報知手段２４の動作を制御することによって、バス２０を介しハンドセット１９の受話器側から着信音を生成して報知させる。
【００４０】
本実施の形態では、音情報入出力部１８によって生成出力される保留音，着信音および呼出音、またハンドセット１９によって生成出力される着信音の音質，音レベルおよび音信号は、表１に示すように設定される。表１に示すように、保留音，着信音および呼出音が、それぞれ異なる音質，音レベルおよび音信号から構成されることによって、利用者は、保留音，着信音および呼出音を誤ることなく容易に識別することができる。
【００４１】
【表１】
2004096485.tif 000003
【００４２】
ｎ個の子機４は同一に構成されるので、子機４ａを代表例としてその構成を説明する。なお子機４ａを構成する各手段および各部であって、前述の親機３を構成する各手段および各部と同一の名称で表される各手段および各部は、親機３と子機４ａとで同一の機能を有するので説明を省略する。
【００４３】
子機４ａは、子機制御手段３１と、プログラムメモリ３２と、バッファメモリ３３と、無線通信部３５と、操作部３６と、表示部３７と、音情報入出力部３８と、充電部３９と、前述の各部を接続するバス４０とを含んで構成される。子機制御手段３１は、子機４ａに備わるので子機の名称が付加されているけれども、親機制御手段１１とその構成および機能は同一である。
【００４４】
また子機制御手段３１には、子機４ａを通話状態，通話保留状態および待機状態のうち、いずれかの状態に設定し、また設定されたいずれかの状態を解除することのできる状態設定手段４１と、子機４ａが、通話状態，通話保留状態および待機状態のうちいずれの状態にあるかを判別する状態判別手段４２と、複数回線２からの着信信号を検出する着信検出手段４３と、着信検出手段４３からの検出出力に応答し、音情報および／または可視情報によって着信を報知する報知手段４４と、他の子機４ｂ，…，４ｎを呼出しまたは呼出しを解除することのできる子機呼出手段４５とが備えられる。
【００４５】
コードレス電話機である子機４ａには、親機３と異なり、有線通信部が無い。また子機４ａ自体がハンドセットを兼ねるので、操作部３６は、ダイヤルキー４６，ページキー４８および設定・解除キー４９を備えるけれども、フックスイッチを含まない。子機４ａに備わる充電部３９は、充電可能な小型リチウム電池またはニッケルカドミウム電池と、充電制御回路とを含んで構成され、子機４ａを充電装置８に設置した状態で、充電装置８によって子機４ａ駆動用の電力が充電部３９の電池に充電される。
【００４６】
子機４のそれぞれに対応して設けられるｎ個の充電装置８は同一に構成されるので、充電装置８ａを代表例としてその構成を説明する。充電装置８ａは、電源部５１と、制御部５２と、操作部５３と、表示部５４とを含んで構成され、コード９を介して図示しない交流電源に接続される。
【００４７】
電源部５１は、コード９を介して交流電源から供給される交流電力を、直流電圧に変換して子機４ａの充電部に供給する。操作部５３は、たとえばページング機能の設定／解除を指示するページキー，電源スイッチ，充電のオン／オフキーなどで構成される。表示部５４は、たとえば未充電，充電中および充電完了などの充電状態を表示するＬＥＤで構成される。制御部５２は、電源部５１，操作部５３および表示部５４と回路５５で接続されて、各部５１，５３，５４の動作を制御する。
【００４８】
図３は、電話制御システム１における電話局の交換機による交換動作手順を説明する図である。図３では、発信側電話機７と、電話制御システム１に備わるたとえば親機３との間で、網６を介し図示しない電話局の交換機の制御によって行われる交換動作について例示する。図３中丸で囲む数字は、動作の順位を示し、この順位に従って以下に交換動作を説明する。
【００４９】
動作▲１▼では、発信側電話機７のハンドセットを電話機本体から取上げてフック部から離脱させるオフ・フック操作によって、網６に対して発信側電話機７から発呼信号が送信される。動作▲２▼では、交換機が発信音信号を発信側電話機７に送信し、ダイヤル受信待ちになる。動作▲３▼では、発信側電話機７のダイヤル操作によって、受信側電話機である親機３の電話番号が網６に送信される。動作▲４▼では、交換機がパス接続処理を実行し、親機３には呼出信号が送信され、発信側電話機７には呼出音が送信される。動作▲５▼では、親機３で着信を認知し、親機３のハンドセット１９をオフ・フック操作することによって、網６に応答信号（通信開始信号）が送信されるので、交換機が応答信号を発信側電話機７に送信し、課金を開始する。これらの動作によって、発信側電話機７と親機３との間に通話が確立する。
【００５０】
通話が完了すると、動作▲６▼では、発信側電話機７から、ハンドセットを電話機本体に載置してフック部に装着させるオン・フック操作によって、網６に対して回線切断信号（通話終了信号）が送信される。交換機は、回線切断信号に応じてパス切断処理を実行し、親機３に対して回線切断信号を送信する。動作▲７▼では、交換機が話中音信号を親機３に対して送信し、課金を停止する。動作▲８▼では、親機３のハンドセット１９をオン・フック操作することによって、通話が切断されると、終話信号が網６に送信されて初期状態になる。
【００５１】
なお前述の回線切断動作は、発信側電話機７から実行する場合についての説明であり、親機３が発信側電話機７よりも先にオン・フック操作をして回線切断する場合は、次のようになる。動作▲６▼´では、親機３のオン・フック操作によって、網６に対して回線切断信号が送信される。交換機は、回線切断信号に応じてパス切断処理を実行し、発信側電話機７に対して回線切断信号を送信する。動作▲７▼´では、交換機が話中音信号を発信側電話機７に対して送信し、課金を停止する。動作▲８▼では、発信側電話機７がオン・フック操作することによって、通話が切断されると、終話信号が網６に送信されて初期状態になる。
【００５２】
図４は、電話制御システム１における着信処理の手順を示す図である。図４では、親機３（または子機４であってもよい）に、回線２ａから着信があり回線２ａで通話が確立した状態で回線２ｂから新たな着信があった場合、または回線２ａから着信があり通話状態を確立後保留にした状態で回線２ｃから新たな着信があった場合の処理について例示する。図４中では、矩形枠内に親機３の表示部１７に表示される内容を示し、縦二重線から成る矩形枠に入力操作，着信音出力の状態およびＬＥＤによる着信報知の状態を示す。親機３の表示部１７には、回線２ａ，２ｂ，２ｃに接続される「相手先」と、親機３の動作状態すなわち「待機（状態）」，「通話（状態）」，「（通話）保留（状態）」または「着信（状態）」のいずれであるかが表示される。
【００５３】
親機３が、未通話で待機状態にあるとき、表示部１７には、回線２ａ：「待機」，回線２ｂ：「待機」，回線２ｃ：「待機」が表示される。この待機状態で、回線２ａの相手先Ａからの着信を着信検出手段２３によって検出すると、親機制御手段１１は、表示部１７に、回線２ａ：「着信」「相手先Ａ」，回線２ｂ：「待機」，回線２ｃ：「待機」の表示をする。さらに親機制御手段１１は、報知手段２４の動作を制御し、表示部１７に備わる着信表示用ＬＥＤを点滅させるとともに、音情報入出力部１８に備わるベルによって着信音を生成出力させる。このとき、親機制御手段１１は、ページキー信号を子機呼出手段２５に与えて、子機呼出手段２５から子機呼出信号を出力させ、子機４の音情報入出力部３８から呼出音（ベル音）を出力させる。
【００５４】
報知手段２４による着信報知に応じ、親機３のハンドセット１９をオフ・フック操作すると、網６に応答信号が送信されて回線２ａの相手先Ａとの通話が確立される。回線２ａの相手先Ａとの通話が確立されると、親機制御手段１１は、表示部１７に、回線２ａ：「通話」「相手先Ａ」，回線２ｂ：「待機」，回線２ｃ：「待機」の表示をする。
【００５５】
回線２ａの相手先Ａとの間で通話状態にある状態で、着信検出手段２３によって回線２ｂの相手先Ｂからの新たな着信が検出されたとき、状態判別手段２２が、回線２ａと回線２ｃとの状態判別を行い、回線２ａが通話状態にあり回線２ｃが待機状態にあるとの判別結果を出力する。親機制御手段１１は、状態判別手段２２の出力に応答し、表示部１７に、回線２ａ：「通話」「相手先Ａ」，回線２ｂ：「着信」「相手先Ｂ」，回線２ｃ：「待機」の表示をするとともに、報知手段２４の動作を制御し、少なくとも可視情報である表示部１７の着信表示用ＬＥＤを点滅させるとともに、ハンドセット１９から着信音を生成出力させる。このとき、親機制御手段１１は、ページキー信号を子機呼出手段２５に与えて、子機呼出手段２５から子機呼出信号を出力させ、子機４の音情報入出力部３８から呼出音（ベル音）を出力させる。
【００５６】
次に前述とは別途の設定について説明する。親機３が、回線２ａの相手先Ａとの間で通話が一旦確立した後、設定・解除キー２９に含まれる保留キーを操作して通話保留状態にすると、表示部１７には、回線２ａ：「保留」，回線２ｂ：「待機」，回線２ｃ：「待機」が表示され、回線２ａの相手先Ａに対しては、音情報入出力部１８で保留音が生成出力される。このように回線２ａにおける相手先Ａとの通話保留状態で、着信検出手段２３によって回線２ｃの相手先Ｃからの新たな着信が検出されたとき、状態判別手段２２が、回線２ａと回線２ｂとの状態判別を行い、回線２ａが通話保留状態にあり回線２ｂが待機状態にあるとの判別結果を出力する。親機制御手段１１は、状態判別手段２２の出力に応答し、表示部１７に、回線２ａ：「保留」「相手先Ａ」，回線２ｂ：「待機」，回線２ｃ：「着信」「相手先Ｃ」の表示をするとともに、報知手段２４の動作を制御し、表示部１７の着信表示用ＬＥＤを点滅させるとともに、音情報入出力部１８に備わるベルによって着信音を生成出力させる。このとき、親機制御手段１１は、ページキー信号を子機呼出手段２５に与えて、子機呼出手段２５から子機呼出信号を出力させ、子機４の音情報入出力部３８から呼出音（ベル音）を出力させる。
【００５７】
図５は、入力信号に対する親子機３，４の動作を状態毎に整理した図である。図５は、親機３が、いずれの回線２ａ，２ｂ，２ｃに対しても待機状態にあるとき、回線２ａに対して通話状態にあるとき、および回線２ａに対して通話保留状態にあるときの各状態毎に、前述したような親機３および子機４における報知手段２４，４４による出力動作を整理したものである。
【００５８】
また図６は、子機呼出信号に応答して子機４が呼出音を出力している状態において、ページ解除キー信号（呼出解除信号）または新たな着信信号が入力される場合の親子機３，４の動作を状態ごとに整理した図である。
【００５９】
まず親機３が待機状態にあり、親機３の子機呼出手段２５から子機呼出信号を送出して子機４を呼出し、呼出音が出力されているときについて説明する。入力信号がページキー操作によるページ解除キー信号であるとき、子機４の音情報入出力部３８に備わるベルによって生成出力されていた呼出音は停止されて、親機３は再待機状態になる。入力信号が新たな着信信号であるとき、子機４では、音情報入出力部３８による呼出音（ベル音）が停止され、親機３では、その表示部１７に着信表示されるとともにＬＥＤが点滅表示され、音情報入出力部１８のベルによる着信音が出力されて再待機状態に設定される。
【００６０】
次に、親機３が一時通話保留状態にあり、親機３の子機呼出手段２５から子機呼出信号を送出して子機４を呼出し、呼出音が出力されているときについて説明する。入力信号がページキー操作によるページ解除キー信号であるとき、子機４の音情報入出力部３８のベルによる呼出音は停止され、親機３は再通話状態になる。入力信号が新たな着信信号であるとき、子機４では、音情報入出力部３８による呼出音（ベル音）は停止され、親機３では、その表示部１７に着信表示されるとともにＬＥＤが点滅表示され、ハンドセット１９による着信音が出力されて再通話状態に設定される。
【００６１】
さらに親機３が通話保留状態にあり、親機３の子機呼出手段２５から子機呼出信号を送出して子機４を呼出し、呼出音が出力されているときについて説明する。入力信号がページキー操作によるページ解除キー信号であるとき、子機４の音情報入出力部３８のベルによる呼出音は停止されて、親機３は再通話保留状態になる。入力信号が新たな着信信号であるとき、子機４の音情報入出力部３８の呼出音（ベル音）は停止され、親機３では、その表示部１７に着信表示されるとともにＬＥＤが点滅表示され、音情報入出力部１８のベルによる着信音が出力されて再通話保留状態に設定される。
【００６２】
図７は、親機３から子機４への呼出動作と呼出解除動作との手順を示す図である。図７は、たとえば子機４ａが回線２ａの相手先Ａと通話状態で、親機３から子機４ａを呼出す必要の生じた場合の呼出手順と、その呼出しを解除する手順を示す。図７中では、矩形枠内に子機４ａの表示部３７に表示される内容を示し、縦二重線から成る矩形枠に入力操作およびベルによる呼出音出力の状態を示す。子機４の表示部３７には、回線２ａ，２ｂ，２ｃに接続される「相手先」と、子機４ａの動作状態すなわち「待機（状態）」，「通話（状態）」，「（通話）保留（状態）」，「着信（状態）」のいずれであるか、または子機呼出しのある旨が表示される。
【００６３】
子機４ａが、回線２ａの相手先Ａと通話状態にあるとき、表示部３７には、回線２ａ：「通話」「相手先Ａ」，回線２ｂ：「待機」，回線２ｃ：「待機」が表示される。この子機４ａが通話状態で、親機３でページキー２８を操作してページキー信号を子機呼出手段２５に入力すると、親機３の子機呼出手段２５から子機４ａに対して呼出信号が送出され、親機３の音情報入出力手段１８では保留音が生成されて保留音信号が回線２ａの相手先Ａに対して送信される。
【００６４】
呼出信号を受信した子機４ａの状態判別手段４２は、回線２ａが通話状態であることを判別し、状態判別手段４２の判別結果に応じて子機制御手段３１は、状態設定手段４１を制御して、予め定められる時間、本実施の形態ではページ状態が継続されている時間（呼出音の出力が継続されている時間）回線２ａを通話保留状態に設定する。この通話保留状態において、子機制御手段３１は、報知手段４４を制御して音情報入出力部３８から呼出音を生成出力させ、表示部３７に「呼出」の旨を表示させる。
【００６５】
親機３から子機４ａを呼出している状態、すなわちページ状態で、子機４ａの利用者が呼出しを認識し、ページキー４８をページ解除操作したとき、子機制御手段３１は、状態設定手段４１を制御して通話保留状態から通話状態へと復帰設定させるとともに、報知手段４４を制御して音情報入出力部３８による呼出音の出力を停止させる。また子機呼出手段４５から親機３に対して呼出解除信号を送出させる。呼出解除信号を受信した親機３は、回線２ａの相手先に保留音解除信号を送信する。子機４ａと回線２ａの相手先Ａとが通話状態に復帰すると、子機４ａの表示部３７には、再び回線２ａ：「通話」「相手先Ａ」，回線２ｂ：「待機」，回線２ｃ：「待機」が表示される。
【００６６】
一方親機３から子機４ａを呼出しているページ状態で、子機４ａ側で呼出し解除するのではなく、親機３側でページキー２８をページ解除操作したとき、親機３は、回線２ａの相手先に保留音解除信号を送出し、親機３の子機呼出手段２５から子機４ａに対して呼出解除信号を送出する。親機３からの呼出解除信号を受信した子機制御手段３１は、状態設定手段４１を制御して通話保留状態から通話状態へと復帰設定させる。
【００６７】
図８は、子機４ａから他の子機４ｂへの呼出動作の手順を示す図である。図８は、たとえば子機４ｂが親機３を介して回線２ａの相手先Ａと通話状態または通話保留状態で、子機４ａから子機４ｂを呼出す必要の生じた場合の呼出手順を示す。図８中では、矩形枠内に子機４ｂの表示部３７に表示される内容を示し、縦二重線から成る矩形枠に入力操作およびベルによる呼出音出力の状態を示す。子機４ｂの表示部３７には、子機４ｂの動作状態すなわち「待機（状態）」，「通話（状態）」，「（通話）保留（状態）」，「着信（状態）」のいずれであるか、または呼出しのある旨が表示される。
【００６８】
まず子機４ｂが、親機３を介して回線２ａの相手先Ａと通話状態であるとき、子機４ｂの表示部３７には、回線２ａ：「通話」，回線２ｂ：「待機」，回線２ｃ：「待機」が表示される。子機４ｂが通話状態で、子機４ａでページキー４８を操作してページキー信号を子機呼出手段４５に入力すると、子機４ａの子機呼出手段４５から子機４ｂに対して呼出信号が送出され、子機４ｂの子機制御手段３１は表示部３７に「呼出」のある旨を表示させる。
【００６９】
次に子機４ｂが、親機３を介して回線２ａの相手先Ａと通話保留状態であるとき、子機４ｂの表示部３７には、回線２ａ：「保留」，回線２ｂ：「待機」，回線２ｃ：「待機」が表示される。子機４ｂが通話保留状態で、子機４ａでページキー４８を操作してページキー信号を子機呼出手段４５に入力すると、子機４ａの子機呼出手段４５から子機４ｂに対して呼出信号が送出され、子機４ｂの子機制御手段３１は表示部３７に「呼出」のある旨を表示させるとともに、報知手段４４を制御して音情報入出力部３８のベルによる呼出音を生成出力させる。
【００７０】
図９は、電話制御システム１の一連の動作を説明するフローチャートである。図９を参照して電話制御システム１の着信処理および呼出処理などの一連の動作について説明する。
【００７１】
ステップＳ０では、電話制御システム１を構成する親機３，子機４および充電装置８などの電源が投入されて作動可能な状態にある。ステップＳ１では、回線２ａ，２ｂ，２ｃのいずれからも着信が無い状態であり、親機３の状態判別手段２２は待機状態を判別し、状態設定手段２１は待機状態に設定し、表示部１７には、各回線２ａ，２ｂ，２ｃともに「待機」が表示される。ステップＳ２では、入力信号として、回線２ａ，２ｂ，２ｃのいずれかからの最初の着信信号を検出したか否かが判断される。この判断は、着信検出手段２３の出力の有無に基づいて親機制御手段１１によって行われる。判断結果が肯定で、着信信号が検出されればステップＳ３に進み、判断結果が否定で、着信信号が検出されなければステップＳ４に進む。
【００７２】
ステップＳ３では、待機状態において最初の着信信号を検出したので、親機制御手段１１は、報知手段２４を制御してその着信を表示部１７の画面に「着信」表示するとともにＬＥＤにより点滅表示し、また音情報入出力部１８のベルにより着信音を生成して報知し、ステップＳ１０に進む。ステップＳ４では、入力信号が、ページキー２８操作によるページキー信号であるか否かが判断される。この判断は、ページキー信号の入力される子機呼出手段２５からの出力に基づき親機制御手段１１によって行われる。判断結果が肯定で、ページキー信号であればステップＳ５に進み、判断結果が否定で、ページキー信号でなければステップＳ１に戻る。
【００７３】
ステップＳ５では、待機状態でページキー信号が入力されたので、子機呼出手段２５から呼出信号が子機４に対して送出され、呼出信号に応答して子機制御手段３１は、報知手段４４を制御して音情報入出力部３８のベルにより呼出音を生成出力して報知し、ステップ６に進む。ステップＳ６では、親機３または子機４の　ページキー２８（または４８）の操作によりページ解除キー信号が入力されたか否かが判断される。この判断は、ページ解除キー信号の入力される子機呼出手段２５（または４５）からの出力に基づき親機制御手段１１（または子機制御手段３１）によって行われる。判断結果が肯定であり、ページ解除キー信号が入力されればステップＳ７に進み、判断結果が否定であり、ページ解除キー信号が入力されなければステップＳ８に進む。
【００７４】
ステップＳ７では、子機制御手段３１は、報知手段４４を制御して音情報入出力部３８のベルによる呼出音を停止し、ステップＳ１に戻る。ステップＳ８では、　子機４を呼出中に他の回線からの新たな着信信号が検出されたか否かが判断される。判断結果が肯定で、新たな着信信号が検出されればステップＳ９に進み、判断結果が否定で新たな着信信号が検出されなければステップＳ５に戻る。
【００７５】
ステップＳ９では、子機４の音情報入出力部３８のベルによる呼出音を停止し、他の回線からの新たな着信を、親機３の表示部１７の画面に表示するとともにＬＥＤにより点滅表示し、音情報入出力部１８のベルにより着信音を生成出力して報知し、ステップＳ１０に進む。　ステップＳ１０では、親機３のハンドセット１９のオフ・フック操作によりオフ・フック信号が入力されたか否かが判断される。この判断は、バス２０を介して送られるフックスイッチ２７からの出力に基づき親機制御手段１１によって行われる。判断結果が肯定で、オフ・フック信号が入力されればステップＳ１１に進み、判断結果が否定で、オフ・フック信号が入力されなければ入力待ち状態になる。
【００７６】
ステップＳ１１では、親機３は、状態設定手段２１によって、新たな着信を受けた他の回線と通話状態に設定され、通話が可能になる。ステップＳ１２では、親機３の設定・解除キー２９に含まれる保留キー操作により通話保留信号が入力されたか否かが判断される。この判断は、バス２０を介して送られる設定・解除キー２９からの出力に基づき親機制御手段１１によって行われる。判断結果が肯定で、通話保留信号が入力されればステップＳ１３に進み、判断結果が否定で、通話保留信号が入力されなければステップＳ１６に進む。ステップＳ１３では、通話中の回線を占有し、状態設定手段２１によって通話保留状態に設定し、ステップＳ１４に進む。ステップＳ１４では、通話保留状態において、他の回線から新たな着信信号を検出したか否かが判断される。判断結果が肯定で、新たな着信信号が検出されればステップＳ１５に進み、判断結果が否定で、新たな着信信号が検出されなければステップＳ１６に進む。
【００７７】
ステップＳ１５では、通話保留状態において他の回線からの新たな着信信号を検出したので、親機制御手段１１は、その着信を表示部１７の画面に表示するとともにＬＥＤにより点滅表示し、音情報入出力部１８のベルにより着信音を生成出力して報知し、ステップＳ３０に進む。ステップＳ１６では、通話保留状態において、ページキー２８操作によりページキー信号が入力されたか否かが判断される。判断結果が肯定で、ページキー信号が入力されればステップＳ１７に進み、判断結果が否定で、ページキー信号が入力されなければステップＳ１４に戻る。
【００７８】
ステップＳ１７では、通話保留状態においてページキー信号が入力されたので、子機呼出手段２５は呼出信号を子機４に対して送出し、呼出信号に応答して子機制御手段３１は、報知手段４４を制御して音情報入出力部３８のベルにより呼出音を生成出力して報知し、ステップＳ１８に進む。ステップＳ１８では、親機３または子機４の　ページキー２８（または４８）の操作によりページ解除キー信号が入力されたか否かが判断される。判断結果が肯定であり、ページ解除キー信号が入力されればステップＳ１９に進み、判断結果が否定であり、ページ解除キー信号が入力されなければステップＳ２０に進む。
【００７９】
ステップＳ１９では、子機制御手段３１は、音情報入出力部３８のベルによる呼出音を停止し、ステップＳ１４に戻る。ステップＳ２０では、子機４を呼出中に他の回線からの新たな着信信号が検出されたか否かが判断される。判断結果が肯定で、新たな着信信号が検出されればステップＳ２１に進み、判断結果が否定で新たな着信信号が検出されなければステップＳ１７に戻る。ステップＳ２１では、子機４の音情報入出力部３８のベルによる呼出音を停止し、他の回線からの新たな着信を、親機３の表示部１７の画面に表示するとともにＬＥＤにより点滅表示し、音情報入出力部１８のベルにより着信音を生成出力して報知し、ステップＳ３０に進む。
【００８０】
ステップＳ２２では、通話状態において他の回線からの新たな着信信号が検出されたか否かが判断される。判断結果が肯定で、新たな着信信号が検出されればステップＳ２３に進み、判断結果が否定で新たな着信信号が検出されなければステップＳ２４に進む。ステップＳ２３では、通話状態において新たな着信信号を検出したので、親機制御手段１１は、報知手段２４を制御して表示部１７の画面に「着信」表示するとともにＬＥＤにより点滅表示し、さらにハンドセット１９により着信音を生成出力して報知し、ステップＳ３１に進む。ステップＳ２４では、通話状態においてページキー２８操作によりページキー信号が入力されたか否かが判断される。判断結果が肯定で、ページキー信号が入力されればステップＳ２５に進み、判断結果が否定で、ページキー信号が入力されなければステップＳ３１に進む。
【００８１】
ステップＳ２５では、通話状態においてページキー信号が入力されたので、親機制御手段１１は、状態設定手段２１を制御して一時通話保留状態に設定し、子機呼出手段２５によって呼出信号を子機４に対して送出する。子機制御手段３１は、子機呼出手段２５からの呼出信号に応答し、音情報入出力部３８のベルにより呼出音を生成出力して報知する。ステップＳ２６では、親機３または子機４のページキー２８（または４８）の操作によりページ解除キー信号が入力されたか否かが判断される。判断結果が肯定であり、ページ解除キー信号が入力されればステップＳ２７に進み、判断結果が否定であり、ページ解除キー信号が入力されなければステップＳ２８に進む。ステップＳ２７では、子機制御手段３１は、音情報入出力部３８のベルによる呼出音を停止し、親機制御手段１１は、状態設定手段２１を制御して通話状態に設定し、ステップＳ３１に進む。
【００８２】
ステップＳ２８では、子機４を呼出中に他の回線からの新たな着信信号が検出されたか否かが判断される。判断結果が肯定で、新たな着信信号が検出されればステップＳ２９に進み、判断結果が否定で新たな着信信号が検出されなければステップＳ２５に戻る。ステップＳ２９では、子機制御手段３１は、音情報入出力部３８のベルによる呼出音を停止し、親機制御手段１１は、その表示部１７の画面に「着信」表示するとともにＬＥＤにより点滅表示し、さらにハンドセット１９により着信音を生成出力して報知し、ステップＳ３１に進む。
【００８３】
ステップＳ３０では、親機３の設定・解除キー２９操作によって保留解除信号が入力されたか否かが判断される。この判断は、バス２０を介して送られる設定・解除キー２９からの出力に基づき親機制御手段１１によって行われる。判断結果が肯定で、保留解除信号が入力されればステップＳ３１に進み、判断結果が否定で、保留解除信号が入力されなければ保留解除信号の入力待ち状態になる。
【００８４】
ステップＳ３１では、通信が完了し、親機３のハンドセット１９のオン・フック操作によりオン・フック信号が入力されたか否かが判断される。この判断は、バス２０を介して送られるフックスイッチ２７からの出力に基づき親機制御手段１１によって行われる。判断結果が肯定で、オン・フック信号が入力されればステップＳ３２に進み、判断結果が否定で、オン・フック信号が入力されなければ入力待ち状態になる。ステップＳ３２では、オン・フック信号に応答し、親機制御手段１１は、状態設定手段２１を制御して待機状態に設定し、ステップＳ３３に至る。ステップＳ３３で一連の動作が終了する。
【００８５】
以上に述べたように、本実施の形態では、複数の電話機は、コードレス電話機である親子機であるけれども、これに限定されることなく、有線で相互に接続されたものであってもよい。また複数の回線は、アナログ回線のＰＳＴＮとデジタル回線のＩＳＤＮおよびＨＰＮＡとであるけれども、これに限定されることなく、他のアナログ回線やデジタル回線であってもよい。
【００８６】
【発明の効果】
本発明によれば、電話機に備わる着信検出手段が他の回線からの新たな着信を検出した状態で、同じく電話機に備わる制御手段は、１つの回線が通話保留状態であるときには、少なくとも音情報で新たな着信を報知し、１つの回線が通話状態であるときには、少なくとも可視情報で新たな着信を報知するように報知手段を制御する。このことによって、１つの回線が通話保留状態に設定され、利用者が電話機から離れている場合であっても、利用者は音情報によって新たな着信を知ることができる。また１つの回線が通話状態に設定され、利用者が電話機近傍に居る場合には、静寂さを保つことのできる可視情報によって新たな着信を知ることができる。
【００８７】
また本発明によれば、電話機に備わる着信検出手段が他の回線からの新たな着信を検出した状態で、同じく電話機に備わる制御手段は、１つの回線が通話保留状態であるときには、音情報入出力部から音情報を出力して新たな着信を報知し、１つの回線が通話状態であるときには、送受話器から音情報を出力して新たな着信を報知するように報知手段を制御する。このことによって、１つの回線が通話保留状態に設定され、利用者が電話機から離れている場合であっても、利用者は音情報によって新たな着信を知ることができる。また１つの回線が通話状態に設定され、利用者が通話している場合には、送受話器から出力される音情報によって新たな着信を知ることができるので、通話中の相手先に音情報であるたとえば着信音を聞かせないようにすることができる。
【００８８】
また本発明によれば、複数の電話機は親子電話機であり、親電話機が、子電話機呼出手段によって子電話機を呼出す信号を発信している状態で、子電話機に備わる制御手段は、子電話機が通話状態であるとき、予め定められる時間通話保留状態に設定し、音情報入出力部で呼出音を生成し出力して呼出しを報知する。このように、親電話機から呼出されている状態で、子電話機が通話状態であるときには、たとえば呼出音を出力している時間、通話状態から通話保留状態に設定を変更することによって、通話中の相手先に呼出音を聞かせないようにすることができる。
【００８９】
また本発明によれば、子電話機は、他の子電話機を呼出しまたは呼出しを解除することのできる子電話機呼出手段を備え、その子電話機呼出手段によって他の子電話機を呼出す信号が発信されている状態で、他の子電話機に備わる制御手段は、他の子電話機が通話状態であるとき、可視情報によって呼出しを報知し、他の子電話機が通話保留状態であるとき、可視情報および呼出音によって呼出しを報知する。このように、１つの子電話機から呼出されている他の子電話機が通話状態であるときには、可視情報で呼出しを報知するので、通話の相手先に呼出音を聞かせないようにすることができる。また通話保留状態であるときには、可視情報と呼出音とによって呼出しを報知するので、利用者が他の子電話機から離れている場合であっても、呼出しを知ることができる。
【００９０】
また本発明によれば、子電話機呼出手段によって子電話機の呼出しを解除する信号が発信されている状態で、呼出し解除の対象である子電話機に備わる制御手段は、通話保留状態であるとき、呼出音の出力を停止し、通話保留状態の設定を解除して通話状態に設定する。このように、呼出しによって通話状態から一時通話保留状態に設定変更された子電話機は、呼出し解除によって再び通話状態に復帰することができる。
【００９１】
また本発明によれば、音情報である保留音，着信音および呼出音の各音が、それぞれ異なる音質，音レベルおよび音信号から構成される。このことによって、利用者は、保留音，着信音および呼出音を誤ることなく容易に識別することが可能になる。
【００９２】
また本発明によれば、親電話機は、アナログ通信回線とデジタル通信回線とを含む複数回線に接続され、子電話機は、親電話機と無線で通信するコードレス電話機である。このことによって、アナログ通信とデジタル通信との両方に対応可能であり、また親子電話機のいずれに対しても割込み接続可能な使い勝手の良い電話制御システムが実現される。
【図面の簡単な説明】
【図１】本発明の実施の一形態である電話制御システム１の構成を示す模式図である。
【図２】図１に示す電話制御システム１の構成を簡略化して示すブロック図である。
【図３】電話制御システム１における電話局の交換機による交換動作手順を説明する図である。
【図４】電話制御システム１における着信処理の手順を示す図である。
【図５】入力信号に対する親機３の動作を状態毎に整理した図である。
【図６】子機呼出信号に応答して子機４が呼出音を出力している状態における呼出解除信号または新たな着信信号に対する親子機３，４の動作を状態ごとに整理した図である。
【図７】親機３から子機４への呼出動作と呼出解除動作との手順を示す図である。
【図８】子機４ａから他の子機４ｂへの呼出動作の手順を示す図である。
【図９】電話制御システム１の一連の動作を説明するフローチャートである。
【符号の説明】
１　電話制御システム
２　回線
３　親機
４　子機
５　宅内交換機
６　網
８　充電装置
１１　親機制御手段
１７，３７　表示部
１８，３８　音情報入出力部
１９　ハンドセット
２１，４１　状態設定手段
２２，４２　状態判別手段
２３，４３　着信検出手段
２４，４４　報知手段
２５，４５　子機呼出手段
３１　子機制御手段
３９　充電部
【図１】
2004096485.tif 000004
【図２】
2004096485.tif 000005
【図３】
2004096485.tif 000006
【図４】
2004096485.tif 000007
【図５】
2004096485.tif 000008
【図６】
2004096485.tif 000009
【図７】
2004096485.tif 000010
【図８】
2004096485.tif 000011
【図９】
2004096485.tif 000012